(57)【要約】【課題】  集合墓の各単位墓部をレンタル墓として貸し出す場合に、大変な労力を必要とすることなく、効率良く集合墓の管理を行うことのできる集合墓管理装置を提供すること。【解決手段】  納骨室１３と、該納骨室１３に１対１に対応する墓碑部１５とから成る単位墓部１６が複数並設配置されている屋外に設けられた集合墓１０を個々に特定可能な墓ＩＤ並びに該集合墓１０内における各単位墓部１６を個々に特定可能な墓部ＩＤに対応付けて、当該単位墓部１６の貸出期限に関する情報を記憶するためのサーバコンピュータ１内の記憶部と、前記墓ＩＤ並びに墓部ＩＤを受付けるためのサーバコンピュータ１の識別情報受付け手段と、該受付けた墓ＩＤ並びに墓部ＩＤに対応付けて記憶部に記憶されている貸出期限に関する情報を抽出して、該抽出した貸出期限に関する情報を出力するサーバコンピュータ１の出力手段とを備える。【選択図】  図２
2005321866.tif 000002
【特許請求の範囲】
【請求項１】
故人の骨壺を収納するための納骨室と、該納骨室に１対１に対応する墓碑部とから成る単位墓部が複数並設配置されている屋外に設けられた集合墓を管理するための集合墓管理装置であって、
各集合墓を個々に特定可能な集合墓識別情報並びに該集合墓内における各単位墓部を個々に特定可能な単位墓部識別情報に対応付けて、当該単位墓部の貸出期限に関する情報を記憶するための記憶手段と、
前記集合墓識別情報並びに単位墓部識別情報を受付けるための識別情報受付け手段と、
該識別情報受付け手段にて受付けた前記集合墓識別情報並びに単位墓部識別情報に対応付けて前記記憶手段に記憶されている貸出期限に関する情報を抽出して、該抽出した貸出期限に関する情報を出力するための出力手段を備えることを特徴とする集合墓管理装置。
【請求項２】
前記記憶手段には、前記貸出期限に関する情報に加えて、借り主に関する情報が前記集合墓識別情報並びに単位墓部識別情報に対応付けて記憶、管理され、
前記出力手段には、前記識別情報受付け手段にて受付けた前記集合墓識別情報並びに単位墓部識別情報に対応付けて前記記憶手段に記憶されている借り主に関する情報が前記貸出期限に関する情報に加えて抽出されて出力されることを特徴とする請求項１に記載の集合墓管理装置。
【請求項３】
前記借り主に関する情報が、主たる借り主と副たる借り主に関する情報から構成されていることを特徴とする請求項１または２に記載の集合墓管理装置。
【請求項４】
前記記憶手段には、前記貸出期限に関する情報に加えて、当該単位墓部の納骨室に収納されている故人に関する情報が前記集合墓識別情報並びに単位墓部識別情報に対応付けて記憶、管理され、
前記出力手段には、前記識別情報受付け手段にて受付けた前記集合墓識別情報並びに単位墓部識別情報に対応付けて前記記憶手段に記憶されている故人に関する情報が前記貸出期限に関する情報に加えて抽出されて出力されることを特徴とする請求項１〜３のいずれかに記載の集合墓管理装置。
【請求項５】
前記記憶手段には、前記借り主から預かり受けた保証金に関する情報が前記集合墓識別情報並びに単位墓部識別情報に対応付けて記憶、管理され、
前記出力手段には、前記識別情報受付け手段にて受付けた前記集合墓識別情報並びに単位墓部識別情報に対応付けて前記記憶手段に記憶されている前記保証金に関する情報が前記貸出期限に関する情報に加えて抽出されて出力されることを特徴とする請求項１〜４のいずれかに記載の集合墓管理装置。
【請求項６】
本日の年月日等の日付情報を出力するための日付情報出力手段と、
該日付情報出力手段から出力される日付情報と前記記憶手段に記憶されている貸出期限に関する情報とに基づいて、予め定められた所定期間内に貸出期限となる前記集合墓識別情報並びに単位墓部識別情報を抽出する抽出手段と
を備え、
前記出力手段には、該抽出手段にて抽出された前記集合墓識別情報並びに単位墓部識別情報が出力されることを特徴とする請求項１〜５のいずれかに記載の集合墓管理装置。
【請求項７】
借り主が操作可能な情報端末とのデータ通信を実施するための通信手段を備え、
前記識別情報受付け手段は、該通信手段を介して前記情報端末から集合墓識別情報並びに単位墓部識別情報を受付け、
前記出力手段は、前記情報端末から受付けた前記集合墓識別情報並びに単位墓部識別情報に対応付けて前記記憶手段に記憶されている貸出期限に関する情報を抽出して、該抽出した貸出期限に関する情報を、前記通信手段を介して前記情報端末に送信出力することを特徴とする請求項１〜６のいずれかに記載の集合墓管理装置。
【発明の詳細な説明】
【技術分野】
【０００１】
本発明は、屋外に設けられ、故人の骨壺を収納するための納骨室と、該納骨室に１対１に対応する墓碑部とから成る単位墓部が複数並設配置されている集合墓を管理するための集合墓管理装置に関する。
【背景技術】
【０００２】
近年、人口の増加とともに、墓園用地も少なくなってきているとともに、首都圏等をはじめとする都市近郊の墓所の取得費用が高額となってきている。
【０００３】
そのため、都市近郊の住居とは遠く離れた墓園にお墓を購入する人が多く、この場合には、残された遺族、特には、ご主人を亡くされた老年の婦人等が、これら住居から遠く離れた墓園にお参りすることが大きな負担となることから、自分が生きている内は、住居から近い都市近郊にお墓を借りたいという要望が多くなってきている。
【０００４】
また、近年のように核家族化が進み、昔のように檀家等による菩提寺が不明瞭な都市部にあっては、生前にお墓を用意することなく不慮の事故等により亡くなられた人の場合に、お墓の用地を購入してお墓を建立するまでの間、菩提寺等に故人のお骨を預けることもできないことから、これら故人のお骨を収納する場所に困る状況があり、短期間でもお墓を借りたいという要望が多くなってきている。
【０００５】
これらの要望に答えるために近年にあっては、都市近郊の限られた墓園用地を効率良く使用してお墓を構築できるようにすることを目的として、図５に示すように、屋外に設けられ、故人の骨壺を収納するための納骨室１３と、該納骨室１３に１対１に対応する墓碑部１５とから成る単位墓部１６が複数並設配置されている集合墓１０が一部実用化され、これら集合墓１０の各単位墓部１６を貸し出して運用する試みが為されてきている。
【発明の開示】
【発明が解決しようとする課題】
【０００６】
しかしながら、これら集合墓の各単位墓部をレンタル墓として貸し出す場合には、貸し出した後に、どの単位墓部がいつまで貸し出されているのかや、その借り主が誰であるか等の管理情報を細かく管理していないと、いつ単位墓部が空いて次の借り主に提供できるのかや、現在利用中の借り主が継続して利用するのか等の確認等をとる作業が非常に煩雑で大変な労力を必要としてしまうという問題があった。
【０００７】
本発明は、このような問題点に着目してなされたもので、これら集合墓の各単位墓部をレンタル墓として貸し出す場合に、大変な労力を必要とすることなく、効率良く集合墓の管理を行うことのできる集合墓管理装置を提供することを目的とする。
【課題を解決するための手段】
【０００８】
上記課題を解決するために、本発明の請求項１に記載の集合墓管理装置は、
故人の骨壺を収納するための納骨室と、該納骨室に１対１に対応する墓碑部とから成る単位墓部が複数並設配置されている屋外に設けられた集合墓を管理するための集合墓管理装置であって、
各集合墓を個々に特定可能な集合墓識別情報並びに該集合墓内における各単位墓部を個々に特定可能な単位墓部識別情報に対応付けて、当該単位墓部の貸出期限に関する情報を記憶するための記憶手段と、
前記集合墓識別情報並びに単位墓部識別情報を受付けるための識別情報受付け手段と、
該識別情報受付け手段にて受付けた前記集合墓識別情報並びに単位墓部識別情報に対応付けて前記記憶手段に記憶されている貸出期限に関する情報を抽出して、該抽出した貸出期限に関する情報を出力するための出力手段を備えることを特徴としている。
この特徴によれば、前記集合墓識別情報並びに単位墓部識別情報を入力するのみで、該集合墓識別情報並びに単位墓部識別情報から特定される集合墓内の単位墓部の貸出期限に関する情報が抽出されて出力されることで、簡便に貸出期限に関する情報を把握できるようになるため、これら集合墓の各単位墓部をレンタル墓として貸し出す場合に、大変な労力を必要とすることなく、効率良く集合墓の管理を行うことができる。
【０００９】
本発明の請求項２に記載の集合墓管理装置は、請求項１に記載の集合墓管理装置であって、
前記記憶手段には、前記貸出期限に関する情報に加えて、借り主に関する情報が前記集合墓識別情報並びに単位墓部識別情報に対応付けて記憶、管理され、
前記出力手段には、前記識別情報受付け手段にて受付けた前記集合墓識別情報並びに単位墓部識別情報に対応付けて前記記憶手段に記憶されている借り主に関する情報が前記貸出期限に関する情報に加えて抽出されて出力されることを特徴としている。
この特徴によれば、前記集合墓識別情報並びに単位墓部識別情報を入力するのみで、該集合墓識別情報並びに単位墓部識別情報から特定される集合墓内の単位墓部の貸出期限や借り主に関する情報が抽出されて出力されることで、簡便に貸出期限や借り主に関する情報を把握できるようになるため、これら集合墓の各単位墓部をレンタル墓として貸し出す場合に、大変な労力を必要とすることなく、効率良く集合墓の管理を行うことができる。
【００１０】
本発明の請求項３に記載の集合墓管理装置は、請求項１または２に記載の集合墓管理装置であって、
前記借り主に関する情報が、主たる借り主と副たる借り主に関する情報から構成されていることを特徴としている。
この特徴によれば、例えば主たる借り主との連絡がとれない場合等においても、副たる借り主を特定して、連絡等をすることができる。
【００１１】
本発明の請求項４に記載の集合墓管理装置は、請求項１〜３のいずれかに記載の集合墓管理装置であって、
前記記憶手段には、前記貸出期限に関する情報に加えて、当該単位墓部の納骨室に収納されている故人に関する情報が前記集合墓識別情報並びに単位墓部識別情報に対応付けて記憶、管理され、
前記出力手段には、前記識別情報受付け手段にて受付けた前記集合墓識別情報並びに単位墓部識別情報に対応付けて前記記憶手段に記憶されている故人に関する情報が前記貸出期限に関する情報に加えて抽出されて出力されることを特徴としている。
この特徴によれば、前記集合墓識別情報並びに単位墓部識別情報を入力するのみで、該集合墓識別情報並びに単位墓部識別情報から特定される集合墓内の単位墓部の貸出期限に関する情報に加えて故人に関する情報が抽出されて出力されることで、簡便に貸出期限や故人に関する情報を把握できるようになるため、これら集合墓の各単位墓部をレンタル墓として貸し出す場合に、大変な労力を必要とすることなく、効率良く集合墓の管理を行うことができる。
【００１２】
本発明の請求項５に記載の集合墓管理装置は、請求項１〜４のいずれかに記載の集合墓管理装置であって、
前記記憶手段には、前記借り主から預かり受けた保証金に関する情報が前記集合墓識別情報並びに単位墓部識別情報に対応付けて記憶、管理され、
前記出力手段には、前記識別情報受付け手段にて受付けた前記集合墓識別情報並びに単位墓部識別情報に対応付けて前記記憶手段に記憶されている前記保証金に関する情報が前記貸出期限に関する情報に加えて抽出されて出力されることを特徴としている。
この特徴によれば、前記集合墓識別情報並びに単位墓部識別情報を入力するのみで、該集合墓識別情報並びに単位墓部識別情報から特定される集合墓内の単位墓部の貸出期限に関する情報に加えて保証金に関する情報が抽出されて出力されることで、簡便に貸出期限や保証金に関する情報を把握できるようになるため、これら集合墓の各単位墓部をレンタル墓として貸し出す場合に、大変な労力を必要とすることなく、効率良く集合墓の管理を行うことができる。
【００１３】
本発明の請求項６に記載の集合墓管理装置は、請求項１〜５のいずれかに記載の集合墓管理装置であって、
本日の年月日等の日付情報を出力するための日付情報出力手段と、
該日付情報出力手段から出力される日付情報と前記記憶手段に記憶されている貸出期限に関する情報とに基づいて、予め定められた所定期間内に貸出期限となる前記集合墓識別情報並びに単位墓部識別情報を抽出する抽出手段と、
を備え、
前記出力手段には、該抽出手段にて抽出された前記集合墓識別情報並びに単位墓部識別情報が出力されることを特徴としている。
この特徴によれば、貸出期限が所定期間内に迫った単位墓部を簡便に把握できるようになり、これら単位墓部の利用継続の確認や、新たな利用者（借り主）への連絡等の作業効率を向上できる。
【００１４】
本発明の請求項７に記載の集合墓管理装置は、請求項１〜６のいずれかに記載の集合墓管理装置であって、
借り主が操作可能な情報端末とのデータ通信を実施するための通信手段を備え、
前記識別情報受付け手段は、該通信手段を介して前記情報端末から集合墓識別情報並びに単位墓部識別情報を受付け、
前記出力手段は、前記情報端末から受付けた前記集合墓識別情報並びに単位墓部識別情報に対応付けて前記記憶手段に記憶されている貸出期限に関する情報を抽出して、該抽出した貸出期限に関する情報を、前記通信手段を介して前記情報端末に送信出力することを特徴としている。
この特徴によれば、借り主自身が、自分が借りている単位墓部の利用期限を、情報端末を用いて簡便に確認することができ、借り主の利便性を向上できる。
【発明を実施するための最良の形態】
【００１５】
本発明の実施例を以下に説明する。
【実施例】
【００１６】
先ず、本発明を適用した本実施例の集合墓管理装置の管理対象となる集合墓１０について簡潔に説明すると、本実施例に用いた集合墓１０は、図５に示す斜視図のような外観をしており、該集合墓１０は屋外に設置されていて、その内部に故人の骨壺１２を収納するための複数の納骨室１３を有し、各納骨室１３には、骨壺１２を出し入れするための開口部１４が形成され、この開口部１４を塞ぐために、墓碑部１５が取り付けられている。この集合墓１０は、遺族等の借主に所定の区画毎にレンタル墓として貸し出されるようになっており、集合墓１０の所定区画毎に配置されている納骨室１３と該納骨室１３に１対１に対応する墓碑部１５とからなる貸出対象の単位墓部１６が複数併設配置されている。
【００１７】
また、集合墓１０の側面には、管理者が集合墓１０を効率よく管理するための各々の集合墓１０に対応する後述する墓ＩＤ（例えばＡ〜Ｚ）が刻まれているとともに、各々の墓碑部１５の下方には、各々の単位墓部１６に対応する墓部ＩＤ（本実施例では１〜５）が刻まれている。集合墓１０の正面側の単位墓部１６の墓部IDは奇数番号、集合墓１０の背面側の単位墓部１６の墓部IDは偶数番号となっており、集合墓１０における外部から確認できる位置に表示され、集合墓１０の管理者が各々の単位墓部１６同士を容易に識別できるようになっている。
【００１８】
次に、図1は、本実施例の集合墓管理装置の構成を示す図であり、本実施例の集合墓管理装置は、図１に示すように、集合墓１０内の前記単位墓部１６の貸出状況、すなわち貸出期限や、借り主ａ、ｂ…や、故人に関する情報や、保証金等から成る情報を管理するとともに、単位墓部１６の借り主ａ、ｂ…が操作可能な本実施例の情報端末としてのコンピュータ端末２ａ、２ｂ…からインターネット網を介して前記集合墓１０と前記単位墓部１６のＩＤを受信すると、該受信した集合墓１０と単位墓部１６のＩＤにより特定される単位墓部１６の貸出状況を前記コンピュータ端末２ａ、２ｂ…に送信出力するサーバコンピュータ１により構成される。
【００１９】
本実施例におけるサーバコンピュータ１は、図示は省略するが、ＣＰＵの制御プログラム等を格納するＲＯＭ、屋外に設けられた集合墓１０内の単位墓部１６の貸出期限や、借り主ａ、ｂ…や、故人や、保証金等から成る貸出状況を管理する処理や、コンピュータ端末２ａ、２ｂ…からインターネット網を介して集合墓１０と単位墓部１６のＩＤを受付けて、該受付けた集合墓１０と単位墓部１６のＩＤにより特定される貸出状況をコンピュータ端末２ａ、２ｂ…に送信出力する処理等の各種処理を実施するための処理プログラムを実行するＣＰＵ、必要なデータの書き込み及び読み出しを行うＲＡＭを備える制御部と、前述の各種処理プログラムや図２に示す各種データテーブル等が記憶された記憶部と、インターネット網を介してコンピュータ端末２ａ、２ｂ…とデータの送受信を行う本実施例の通信手段としての通信部と、ディスプレイやキーボードやマウスから成る入出力部とから構成されており、比較的高速の演算処理が可能な通常のサーバコンピュータとされている。
【００２０】
また、前記サーバコンピュータ１の記憶部（図示略）には、図２に示すように、集合墓識別情報としての墓ＩＤ並びに該集合墓１０内における各単位墓部１６を個々に特定可能な単位墓部識別情報としての墓部ＩＤに対応付けて、当該単位墓部１６の貸出期限を含む集合墓１０の貸出状況を記憶するための貸出状況テーブルが記憶されている。
【００２１】
この貸出状況テーブル（図２参照）について説明すると、貸出状況テーブルには、単位墓部１６を特定するための墓ＩＤ並びに墓部ＩＤに対応付けて、当該単位墓部１６の貸出期限に関する情報としての貸出期限と、当該単位墓部１６の主たる借り主に関する情報としての氏名、住所、電話番号、電子メールアドレスであるメールと、副たる借り主に関する情報としての氏名、住所、電話番号、電子メールアドレスであるメールと、当該借り主ａ、ｂ…から預かり受けた保証金に関する情報としての保証金と、当該単位墓部１６が有する納骨室に骨壷が収納された故人に関する情報としての生前氏名、命日、享年、及び該納骨室に１対１に対応する墓碑部に掘り込まれる墓碑銘、戒名とが登録されている。
【００２２】
このように、サーバコンピュータ１の記憶部（図示略）には、集合墓識別情報である墓ＩＤ並びに単位墓部識別情報である墓部ＩＤに対応付けて、当該単位墓部１６の貸出期限に関する情報と、主たる借り主に関する情報及び副たる借り主に関する情報とから構成される借り主ａ、ｂ…に関する情報と、故人に関する情報と、保証金に関する情報とが記憶されており、サーバコンピュータ１の記憶部（図示略）は本発明の記憶手段を形成する。
【００２３】
次いで、本実施例の集合墓管理装置としてのサーバコンピュータ１において、管理者が、入出力部（図示略）を介して貸出状況を管理する流れについて、図３に示す画面に基づいて以下に説明する。
【００２４】
管理者がサーバコンピュータ１にアクセスすると、まず、入出力部（図示略）のディスプレイに、図３（ａ）に示す墓ＩＤ並びに墓部ＩＤの入力画面が表示される。
【００２５】
次いで、管理者が、墓ＩＤ並びに墓部ＩＤの入力画面（図３（ａ）参照）において、墓ＩＤ（例えば、Ａ〜Ｚのいずれか）並びに墓部ＩＤ（例えば、１〜９９いずれか）を選択入力して、選択ボタンを操作すると、サーバコンピュータ１の制御部（図示略）は、該選択入力された墓ＩＤ並びに墓部ＩＤ（例えば、Ａ−１）を受付けて、該受付けた墓ＩＤ並びに墓部ＩＤに対応付けてサーバコンピュータ１の記憶部（図示略）に記憶されている貸出状況テーブル（図２参照）から貸出期限を含む各種情報を抽出して、該抽出した貸出期限を含む各種情報が表示されるとともに、これら各種情報の編集が可能とされた図３（ｂ）に示す貸出状況テーブル管理画面をサーバコンピュータ１の入出力部（図示略）に出力する。
【００２６】
この貸出状況テーブル管理画面（図３（ｂ）参照）に表示される貸出状況テーブル（図２参照）の各種情報を具体的に説明すると、貸出状況テーブル管理画面（図３（ｂ）参照）には、貸出期限に関する情報としての貸出期限と、当該単位墓部１６の主たる借り主及び副たる借り主に関する情報としての氏名、住所、電話番号、電子メールアドレスであるメールと、故人に関する情報としての生前氏名、命日、享年、墓碑銘、戒名と、保証金に関する情報としての保証金とが表示される。
【００２７】
次いで、借り主ａ、ｂ…がコンピュータ端末２ａ、２ｂ…からインターネット網とサーバコンピュータ１の通信部（図示略）を介して本実施例の集合墓管理装置としてのサーバコンピュータ１にアクセスして、借りている単位墓部１６の貸出状況を確認する流れについて、図４に示す画面に基づいて以下に説明する。
【００２８】
まず、借り主ａ、ｂ…がコンピュータ端末２ａ、２ｂ…のブラウザソフトからインターネット網とサーバコンピュータ１の通信部（図示略）を介してサーバコンピュータ１にアクセスすると、図４（ａ）に示す墓ＩＤ並びに墓部ＩＤの入力ページがサーバコンピュータ１からコンピュータ端末２ａ、２ｂ…に送信出力されて、コンピュータ端末２ａ、２ｂ…のブラウザソフトに表示される。
【００２９】
次いで、借り主ａ、ｂ…が墓ＩＤ並びに墓部ＩＤの入力ページ（図４（ａ）参照）において、墓ＩＤ（例えば、Ａ〜Ｚのいずれか）並びに墓部ＩＤ（例えば、１〜９９いずれか）を選択入力して、選択ボタンを操作すると、サーバコンピュータ１の制御部（図示略）は、インターネット網とサーバコンピュータ1の通信部（図示略）を介して、該選択入力された墓ＩＤ並びに墓部ＩＤ（例えば、Ａ−１）を受付けて、該受付けた墓ＩＤ並びに墓部ＩＤに対応付けてサーバコンピュータ１の記憶部（図示略）に記憶されている貸出状況テーブル（図２参照）から貸出期限を含む各種情報を抽出して、該抽出した貸出期限を含む各種情報が表示された図３（ｂ）に示す貸出状況ページを生成した後、インターネット網とサーバコンピュータ1の通信部（図示略）を介してコンピュータ端末２ａ、２ｂ…に送信出力されて、コンピュータ端末２ａ、２ｂ…のブラウザソフトに表示される。
【００３０】
このように、サーバコンピュータ１の制御部（図示略）は、墓ＩＤ並びに墓部ＩＤの入力画面（図３（ａ）参照）を介して、管理者から集合墓識別情報である墓ＩＤ並びに単位墓部識別情報である墓部ＩＤを受付けている。さらに、制御部（図示略）は、墓ＩＤ並びに墓部ＩＤの入力ページ（図４（ａ）参照）を介して、借り主ａ、ｂ…のコンピュータ端末２ａ、２ｂ…からインターネット網とサーバコンピュータ１の通信部（図示略）を経由して送信されてきた集合墓識別情報である墓ＩＤ並びに単位墓部識別情報である墓部ＩＤを受付けている。すなわち、本実施例のサーバコンピュータ１の制御部（図示略）は、本発明の識別情報受付け手段を形成している。
【００３１】
また、サーバコンピュータ１の制御部（図示略）は、サーバコンピュータ１の入出力部（図示略）を介して、集合墓識別情報である墓ＩＤ並びに単位墓部識別情報である墓部ＩＤを受付けると、該墓ＩＤ並びに墓部ＩＤに対応付けて、サーバコンピュータ１の記憶部（図示略）に記憶されている貸出状況テーブル（図２参照）から貸出期限に関する情報と、借り主ａ、ｂ…に関する情報と、故人に関する情報と、保証金に関する情報とから成る各種情報を抽出して、該抽出した各種情報を含む貸出状況テーブル管理画面（図３（ｂ）参照）をサーバコンピュータ１の入出力部（図示略）に送信出力している。さらに、制御部（図示略）は、コンピュータ端末２ａ、２ｂ…から、インターネット網とサーバコンピュータ１の通信部（図示略）を介して集合墓識別情報である墓ＩＤ並びに単位墓部識別情報である墓部ＩＤを受付けると、該墓ＩＤ並びに墓部ＩＤに対応付けて、サーバコンピュータ１の記憶部（図示略）に記憶されている貸出状況テーブル（図２参照）から貸出期限に関する情報等から成る各種情報を抽出して、該抽出した各種情報を含む貸出状況ページ（図４（ｂ）参照）をコンピュータ端末２ａ、２ｂ…に送信出力している。すなわち、本実施例のサーバコンピュータ１の制御部（図示略）は、本発明の出力手段を形成する。
【００３２】
以上説明したように、本実施例の集合墓管理装置としてのサーバコンピュータ１を用いれば、管理者はサーバコンピュータ１の入出力部（図示略）を介して集合墓識別情報としての墓ＩＤ並びに単位墓部識別情報としての墓部ＩＤを入力するのみで、サーバコンピュータ１の記憶部（図示略）に記憶されている貸出状況テーブル（図２参照）において、該墓ＩＤ並びに墓部ＩＤから特定される集合墓１０内の単位墓部１６の貸出期限に関する情報が抽出されて出力されることで、簡便に貸出期限に関する情報を把握できるようになるため、これら集合墓１０の各単位墓部１６をレンタル墓として貸し出す場合に、大変な労力を必要とすることなく、効率良く集合墓１０の管理を行うことができる。
【００３３】
また、管理者はサーバコンピュータ１の入出力部（図示略）を介して集合墓識別情報としての墓ＩＤ並びに単位墓部識別情報としての墓部ＩＤを入力するのみで、サーバコンピュータ１の記憶部（図示略）に記憶されている貸出状況テーブル（図２参照）において、該墓ＩＤ並びに墓部ＩＤから特定される集合墓１０内の単位墓部１６の貸出期限や借り主ａ、ｂ…に関する情報が抽出されて出力されることで、簡便に貸出期限や借り主ａ、ｂ…に関する情報を把握できるようになるため、これら集合墓１０の各単位墓部１６をレンタル墓として貸し出す場合に、大変な労力を必要とすることなく、効率良く集合墓１０の管理を行うことができる。
【００３４】
また、サーバコンピュータ１の記憶部（図示略）に記憶されている貸出状況テーブル（図２参照）には、集合墓識別情報としての墓ＩＤ並びに単位墓部識別情報としての墓部ＩＤに対応付けて、借り主ａ、ｂ…に関する情報として、主たる借り主に関する情報と、副たる借り主に関する情報とが登録されており、例えば主たる借り主との連絡がとれない場合等においても、副たる借り主を特定して、連絡等をすることができる。
【００３５】
また、管理者はサーバコンピュータ１の入出力部（図示略）を介して集合墓識別情報としての墓ＩＤ並びに単位墓部識別情報としての墓部ＩＤを入力するのみで、サーバコンピュータ１の記憶部（図示略）に記憶されている貸出状況テーブル（図２参照）において、該墓ＩＤ並びに墓部ＩＤから特定される集合墓１０内の単位墓部１６の貸出期限に関する情報に加えて故人に関する情報が抽出されて出力されることで、簡便に貸出期限や故人に関する情報を把握できるようになるため、これら集合墓１０の各単位墓部１６をレンタル墓として貸し出す場合に、大変な労力を必要とすることなく、効率良く集合墓１０の管理を行うことができる。
【００３６】
また、管理者はサーバコンピュータ１の入出力部（図示略）を介して集合墓識別情報としての墓ＩＤ並びに単位墓部識別情報としての墓部ＩＤを入力するのみで、サーバコンピュータ１の記憶部（図示略）に記憶されている貸出状況テーブル（図２参照）において、該墓ＩＤ並びに墓部ＩＤから特定される集合墓１０内の単位墓部１６の貸出期限に関する情報に加えて保証金に関する情報が抽出されて出力されることで、簡便に貸出期限や保証金に関する情報を把握できるようになるため、これら集合墓１０の各単位墓部１６をレンタル墓として貸し出す場合に、大変な労力を必要とすることなく、効率良く集合墓１０の管理を行うことができる。
【００３７】
また、借り主ａ、ｂ…自身が、コンピュータ端末２ａ、２ｂ…から集合墓識別情報としての墓ＩＤ並びに単位墓部識別情報としての墓部ＩＤとを入力することで、サーバコンピュータ１の制御部により、該墓ＩＤ並びに墓部ＩＤが受付けられて、これら墓ＩＤ並びに墓部ＩＤから特定される貸出状況を示す貸出状況ページがコンピュータ端末２ａ、２ｂ…に送信出力されて、表示されるため、自分が借りている単位墓部１６の利用期限を、情報端末を用いて簡便に確認することができ、借り主ａ、ｂ…の利便性を向上できる。
【００３８】
尚、本実施例の集合墓管理装置としてのサーバコンピュータ１は、管理者に対して、集合墓識別情報としての墓ＩＤ並びに単位墓部識別情報としての墓部ＩＤを入力させる機能と、該入力させた墓ＩＤ並びに墓部ＩＤにより特定される貸出状況の管理させる機能とを提供しているが、本発明はこれに限定されるものではなく、貸出期限の迫っている墓ＩＤ並びに墓部ＩＤのみを抽出して出力することにより、管理者に対して貸出期限を管理させる機能を提供してもよい。
【００３９】
具体的には、管理者がサーバコンピュータ１の入出力部（図示略）を介してサーバコンピュータ１にアクセスしたときに、本発明の日付情報出力手段を形成するサーバコンピュータ１の制御部（図示略）により日付情報としての本日の年月日を出力し、該出力された日付情報とサーバコンピュータ１の記憶部（図示略）の貸出状況テーブル（図２参照）に記憶されている貸出期限とに基づいて、本発明の抽出手段を形成するサーバコンピュータ１の制御部（図示略）により予め定められた所定期間（例えば、２ヶ月）内に貸出期限となる集合墓識別情報としての墓ＩＤ並びに単位墓部識別情報としての墓部ＩＤを抽出させる。そして、本発明の出力手段を形成するサーバコンピュータ１の制御部（図示略）により、該抽出した墓ＩＤ並びに墓部ＩＤをサーバコンピュータ１の入出力部（図示略）に出力させる。このようにすれば、管理者は、貸出期限が所定期間（例えば、２ヶ月）内に迫った単位墓部１６を簡便に把握できるようになり、これら単位墓部１６の利用継続の確認や、新たな利用者（借り主ａ、ｂ…）への連絡等の作業効率を向上できる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例においては、貸出状況テーブル（図２参照）に示すように、集合墓識別情報としての墓ＩＤ並びに単位墓部識別情報としての墓部ＩＤに対応付けて、単位墓部１６の貸出期限に関する情報に加えて、借り主ａ、ｂ…に関する情報が記憶される構成としているが、本発明はこれに限定されるものではなく、墓ＩＤ並びに墓部ＩＤに対応付けて、単位墓部１６の貸出期限に関する情報のみを記憶する構成としても良い。このようにすれば、貸出状況テーブルの項目を削減できるため記憶容量を低減でき、さらに入出力部を介して入出力する項目を削減できるため管理者の入出力の負担を軽減できる。
【００４２】
また、前記実施例においては、貸出状況テーブル（図２参照）に示すように、借り主ａ、ｂ…に関する情報を主たる借り主に関する情報と副たる借り主に関する情報とから構成しており、主たる借り主に連絡が取れないときにも副たる借り主に連絡が取れるようになっており好ましいが、本発明はこれに限定されるものではなく、借り主ａ、ｂ…に関する情報を主たる借り主に関する情報のみから構成しても良い。このようにすれば、貸出状況テーブルの項目を削減できるため記憶容量を低減でき、さらに入出力部を介して入出力する項目を削減できるため管理者の入出力の負担を軽減できる。
【００４３】
また、前記実施例においては、貸出状況テーブル（図２参照）に示すように、集合墓識別情報としての墓ＩＤ並びに単位墓部識別情報としての墓部ＩＤに対応付けて、単位墓部１６の貸出期限に関する情報に加えて、故人に関する情報が記憶される構成としているが、本発明はこれに限定されるものではなく、墓ＩＤ並びに墓部ＩＤに対応付けて、単位墓部１６の貸出期限に関する情報のみを記憶する構成としても良い。このようにすれば、貸出状況テーブルの項目を削減できるため記憶容量を低減でき、さらに入出力部を介して入出力する項目を削減できるため管理者の入出力の負担を軽減できる。
【００４４】
また、前記実施例においては、貸出状況テーブル（図２参照）に示すように、集合墓識別情報としての墓ＩＤ並びに単位墓部識別情報としての墓部ＩＤに対応付けて、単位墓部１６の貸出期限に関する情報に加えて、保証金に関する情報が記憶される構成としているが、本発明はこれに限定されるものではなく、墓ＩＤ並びに墓部ＩＤに対応付けて、単位墓部１６の貸出期限に関する情報のみを記憶する構成としても良い。このようにすれば、貸出状況テーブルの項目を削減できるため記憶容量を低減でき、さらに入出力部を介して入出力する項目を削減できるため管理者の入出力の負担を軽減できる。
【００４５】
また、前記実施例においては、サーバコンピュータ１に通信部（図示略）を設け、借り主ａ、ｂ…のコンピュータ端末２ａ、２ｂ…からインターネット網と通信部（図示略）を介して、集合墓識別情報としての墓ＩＤ並びに単位墓部識別情報としての墓部ＩＤを受付け、該受付けた墓ＩＤ並びに墓部ＩＤにより特定される単位墓部１６の貸出期限に関する情報を含む貸出状況ページ（図４（ｂ）参照）をコンピュータ端末２ａ、２ｂ…に送信出力する構成としているが、本発明はこれに限定されるものではなく、サーバコンピュータ１に通信部（図示略）を設けない構成としても良い。このようにすれば、サーバコンピュータ１の構成を簡便化できるばかりか、コンピュータ端末２ａ、２ｂ…と通信する処理を削減できるためサーバコンピュータ１の処理負担を軽減できる。
【図面の簡単な説明】
【００４６】
【図１】本発明の本実施例における集合墓管理装置の全体像を示すシステム図である。
【図２】貸出状況テーブルを示す図である。
【図３】（ａ）は墓ＩＤ並びに墓部ＩＤの入力画面であり、（ｂ）は貸出状況テーブルの管理画面である。
【図４】（ａ）は墓ＩＤ並びに墓部ＩＤの入力するためのＷｅｂページであり、（ｂ）は貸出状況テーブルの登録情報を表示するためのＷｅｂページである。
【図５】集合墓を示す斜視図である。
【符号の説明】
【００４７】
１                サーバコンピュータ
２ａ、２ｂ…      コンピュータ端末
１０              集合墓
１２              骨壺
１３              納骨室
１４              開口部
１５              墓碑部
１６              単位墓部
【図１】
2005321866.tif 000003
【図２】
2005321866.tif 000004
【図３】
2005321866.tif 000005
【図４】
2005321866.tif 000006
【図５】
2005321866.tif 000007